(57)【要約】      （修正有）【課題】予め記憶部に記憶している全ての文字列について、簡素な操作で印字したい文字列を印字することができる印字装置を提供する。【解決手段】用紙が複数の印字領域を有する場合において、少なくとも一の印字領域に対してユーザが入力した一の文字列、又は異なる印字領域に対して入力した複数の文字列の組に基づく文字列情報を記憶部に格納させる格納手段と、一つの文字列情報に対応する文字列を画面表示させる表示手段と、画面表示させている前記文字列を前記用紙の一の印字領域若しくは複数の印字領域に印字する表示文字列印字、又は前記記憶部に格納させている格納文字列印字の何れかの選択を促す情報を提示する情報選択手段と、ユーザが選択入力した印字すべき文字列に基づく印字文字列情報を受け付ける印字文字列情報受付手段と、前記用紙の一又は複数の印字領域に印字する印字手段とを備えた。【選択図】図５
2004268468.tif 000002
【特許請求の範囲】
【請求項１】
ユーザが文字列の入力操作を含む所定の入力操作を行うための入力部と、この入力部を通じて入力された前記文字列に対応する文字列情報を記憶する記憶部と、この記憶部で記憶した前記文字列情報に基づいて文字列を画面表示する表示部と、前記文字列情報に対応する文字列を用紙の印字面に印字する印字部とを具備するものであり、
この用紙が前記印字面内に相互に区画された複数の印字領域を有するものである場合において、
少なくとも一の印字領域に印字すべく前記入力部に対してユーザが入力した一の文字列、又は異なる印字領域に印字すべく印字領域毎に対応させてユーザが入力部に対して入力した複数の文字列の組に基づく文字列情報を前記記憶部に格納させる格納手段と、
前記記憶部に格納させた前記文字列情報のうちの一つの文字列情報に対応する文字列の全部若しくは一部を前記表示部に画面表示させる表示手段と、
前記表示手段によって表示部の全部若しくは一部に画面表示させている前記文字列を前記用紙の一の印字領域若しくは複数の印字領域に印字する表示文字列印字、又は表示手段によって表示部に画面表示させているか否かに関わらず前記記憶部に格納させている前記文字列情報に対応する前記一の文字列若しくは前記文字列の組を前記用紙の一の印字領域若しくは複数の印字領域に印字する格納文字列印字の何れかの選択を促す情報を提示する情報選択手段と、
この情報選択手段によりユーザに提示された前記表示文字列印字又は前記格納文字列印字に対応して前記入力部に対してユーザが選択入力した印字すべき文字列に基づく印字文字列情報を受け付ける印字文字列情報受付手段と、
この印字文字列情報受付手段により受け付けた前記印字文字列情報に対応する文字列を前記印字部を介して前記用紙の一又は複数の印字領域に印字する印字手段とを備えていることを特徴とする印字装置。
【請求項２】
前記情報選択手段が、前記表示文字列印字を示唆する情報である表示文字列印字情報及び前記格納文字列印字を示唆する情報である格納文字列印字情報を前記表示部に同時に画面表示させるものである請求項１記載の印字装置。
【請求項３】
前記入力部に、ユーザが前記表示文字列印字又は前記格納文字列印字の選択を切り替える入力操作を行うための選択切替部を備えている請求項１又は２記載の印字装置。
【請求項４】
前記選択切替部が、前記入力部を構成している単一のキー又は複数のキーの組み合わせからなるものであり、この選択切替部に対してユーザが操作入力することにより、前記表示文字列印字又は前記格納文字列印字の選択を切替可能に構成している請求項３記載の印字装置。
【請求項５】
ユーザが文字列の入力操作を含む所定の入力操作を行うための入力部と、この入力部を通じて入力された前記文字列に対応する文字列情報を記憶する記憶部と、この記憶部で記憶した前記文字列情報に基づいて文字列を画面表示する表示部と、前記文字列情報に対応する文字列を用紙の印字面に印字する印字部とを具備するものであり、
この用紙が前記印字面内に相互に区画された複数の印字領域を有するものである場合において、
少なくとも一の印字領域に印字すべく前記入力部に対してユーザが入力した一の文字列、又は異なる印字領域に印字すべく印字領域毎に対応させてユーザが入力部に対して入力した複数の文字列の組に基づく文字列情報を前記記憶部に格納させる格納手段と、
前記記憶部に格納させた前記文字列情報のうちの一つの文字列情報に対応する文字列の全部若しくは一部を前記表示部に画面表示させる表示手段と、
前記表示手段によって表示部の全部若しくは一部に画面表示させている前記文字列を前記用紙の一の印字領域若しくは複数の印字領域に印字しない表示文字列非印字、又は表示手段によって表示部に画面表示させているか否かに関わらず前記記憶部に格納させている前記文字列情報に対応する前記一の文字列若しくは前記文字列の組を前記用紙の一の印字領域若しくは複数の印字領域に印字しない格納文字列非印字の何れかの選択を促す選択情報を提示する情報選択手段と、
この情報選択手段によりユーザに提示された前記表示文字列非印字又は前記格納文字列印字に対応して前記入力部に対してユーザが選択入力した印字しない文字列に基づく非印字文字列情報を受け付ける非印字文字列情報受付手段と、
この非印字文字列情報受付手段により受け付けた前記非印字文字列情報に対応する文字列以外の文字列を前記印字部を介して前記用紙の一又は複数の印字領域に印字する印字手段とを備えていることを特徴とする印字装置。
【発明の詳細な説明】
【０００１】
【発明の属する技術分野】
本発明は、印字面内に相互に区画された複数の印字領域を有する用紙に文字列を印字する印字装置に関するものである。
【０００２】
【従来の技術】
従来、文字列を同一用紙の複数の領域に印字可能な印字装置において、各印字領域に対応する複数の文字列を入力画面において入力し、その文字列に対応する文字列情報を記憶部に記憶するとともに、適宜そ操作により記憶部に記憶している文字列情報に基づく文字列を各印字領域に印字するものがある。
【０００３】
具体的には、一の入力画面にある文字列とともに予め「１」と設定された印字枚数とを同時に表示させ、ユーザの所定の操作キーに対する操作入力によって「１」を所望の印字枚数、例えば「１０」に変更する。そして、他の文字列についても、それぞれ画面を切り替えて「１」と設定された印字枚数と同時に表示させ、前記操作入力により所望の印字枚数に変更する。このように文字列毎の印字枚数の指定を行った後に、印字面への印字処理を行うようにしている（例えば特許文献１参照）。
【０００４】
【特許文献１】
特許第２７１８６０３号公報（第３〜６頁、第１２図）
【０００５】
【発明が解決しようとする課題】
ところが、従来の構成では、記憶部に記憶している文字列情報に基づく文字列全てについて、それぞれ画面を切り替えて印字枚数を指定しなければならないので、印字する前に各画面に切り替えて、印字しない文字列については印字枚数を「０」に設定する必要がある。すなわち、従来の構成では、印字したい文字列のみを印字するためには煩雑な操作を行わなければならず、また、このように逐一画面に戻るための操作が面倒であると感じられることがある。
【０００６】
本発明は、このような課題に着目してなされたものであって、主たる目的は、記憶している全ての文字列について逐一設定する手間を省略し、簡素な操作で印字したい文字列を印字することができる印字装置を提供することにある。
【０００７】
【課題を解決するための手段】
すなわち、本発明の印字装置は、ユーザが文字列の入力操作を含む所定の入力操作を行うための入力部と、この入力部を通じて入力された前記文字列に対応する文字列情報を記憶する記憶部と、この記憶部で記憶した前記文字列情報に基づいて文字列を画面表示する表示部と、前記文字列情報に対応する文字列を用紙の印字面に印字する印字部とを具備するものであり、この用紙が前記印字面内に相互に区画された複数の印字領域を有するものである場合において、少なくとも一の印字領域に印字すべく前記入力部に対してユーザが入力した一の文字列、又は異なる印字領域に印字すべく印字領域毎に対応させてユーザが入力部に対して入力した複数の文字列の組に基づく文字列情報を前記記憶部に格納させる格納手段と、前記記憶部に格納させた前記文字列情報のうちの一つの文字列情報に対応する文字列の全部若しくは一部を前記表示部に画面表示させる表示手段と、前記表示手段によって表示部の全部若しくは一部に画面表示させている前記文字列を前記用紙の一の印字領域若しくは複数の印字領域に印字する表示文字列印字、又は表示手段によって表示部に画面表示させているか否かに関わらず前記記憶部に格納させている前記文字列情報に対応する前記一の文字列若しくは前記文字列の組を前記用紙の一の印字領域若しくは複数の印字領域に印字する格納文字列印字の何れかの選択を促す情報を提示する情報選択手段と、この情報選択手段によりユーザに提示された前記表示文字列印字又は前記格納文字列印字に対応して前記入力部に対してユーザが選択入力した印字すべき文字列に基づく印字文字列情報を受け付ける印字文字列情報受付手段と、この印字文字列情報受付手段により受け付けた前記印字文字列情報に対応する文字列を前記印字部を介して前記用紙の一又は複数の印字領域に印字する印字手段とを備えていることを特徴とする。
【０００８】
ここで、「文字列」とは、文字だけでなく図形データをも含み得るものである。また、「印字」とは、文字だけでなく図形データを用紙に出力することをも含み得る概念である。また、「一の文字列」とは、一の印字領域に印字する文字列であり、例えば同一の印字領域に印字副領域であるＡ面・Ｂ面を有するものにおいてはＡ面に印字する文字列とＢ面に印字する文字列との組み合わせを含む概念であり、同一の印字領域に設定されているＡ面に印字する文字列とＢ面に印字する文字列とが異なる場合であっても、一の印字領域に印字する文字列である限り「一の文字列」である。一方「文字列の組」とは、異なる印字領域にそれぞれ印字する複数の文字列の集合からなる組であり、同一の印字領域に設定されているＡ面に印字する文字列とＢ面に印字する文字列との組み合わせである「一の文字列」を複数種類集合させてなる組を含む概念である。
【０００９】
このようなものであれば、印字すべき文字列を選択することにより、その選択した文字列を印字領域に印字することができるため、従来のように印字しない文字列の印字枚数を「０」に設定する操作を省略することができ、操作の簡略化を有効に図ることができ、使い勝手が優れたものとなる。
【００１０】
特に、前記情報選択手段が、前記表示文字列印字を示唆する情報である表示文字列印字情報及び前記格納文字列印字を示唆する情報である格納文字列印字情報を前記表示部に同時に画面表示させるものであれば、表示文字列印字情報及び格納文字列印字情報が略同時に画面表示されるので、表示文字列印字又は格納文字列印字を選択する際に画面を逐一切り替える必要がなく、無駄な手間を有効に省くことができる。
【００１１】
具体的な実施態様としては、前記入力部に、ユーザが前記表示文字列印字又は前記格納文字列印字の選択を切り替える入力操作を行うための選択切替部を備えているものが挙げられる。
【００１２】
また、前記選択切替部が、前記入力部を構成している単一のキー又は複数のキーの組み合わせからなるものであり、この選択切替部に対してユーザが操作入力することにより、前記表示文字列印字又は前記格納文字列印字の選択を切替可能に構成しているものであれば、より簡単な前記表示文字列印字又は前記格納文字列印字の選択を行うことができ、所望の文字列を容易に印字することができる。
【００１３】
また、ユーザが文字列の入力操作を含む所定の入力操作を行うための入力部と、この入力部を通じて入力された前記文字列に対応する文字列情報を記憶する記憶部と、この記憶部で記憶した前記文字列情報に基づいて文字列を画面表示する表示部と、前記文字列情報に対応する文字列を用紙の印字面に印字する印字部とを具備するものであり、この用紙が前記印字面内に相互に区画された複数の印字領域を有するものである場合において、少なくとも一の印字領域に印字すべく前記入力部に対してユーザが入力した一の文字列、又は異なる印字領域に印字すべく印字領域毎に対応させてユーザが入力部に対して入力した複数の文字列の組に基づく文字列情報を前記記憶部に格納させる格納手段と、前記記憶部に格納させた前記文字列情報のうちの一つの文字列情報に対応する文字列の全部若しくは一部を前記表示部に画面表示させる表示手段と、前記表示手段によって表示部の全部若しくは一部に画面表示させている前記文字列を前記用紙の一の印字領域若しくは複数の印字領域に印字しない表示文字列非印字、又は表示手段によって表示部に画面表示させているか否かに関わらず前記記憶部に格納させている前記文字列情報に対応する前記一の文字列若しくは前記文字列の組を前記用紙の一の印字領域若しくは複数の印字領域に印字しない格納文字列非印字の何れかの選択を促す選択情報を提示する情報選択手段と、この情報選択手段によりユーザに提示された前記表示文字列非印字又は前記格納文字列印字に対応して前記入力部に対してユーザが選択入力した印字しない文字列に基づく非印字文字列情報を受け付ける非印字文字列情報受付手段と、この非印字文字列情報受付手段により受け付けた前記非印字文字列情報に対応する文字列以外の文字列を前記印字部を介して前記用紙の一又は複数の印字領域に印字する印字手段とを備えているものであっても、好適に用いることができる。
【００１４】
【発明の実施の形態】
以下、本発明の一実施形態を、図面を参照して説明する。
【００１５】
本実施形態に係る印字装置１は、図１に全体斜視図、図２に平面図、図３に機器構成図をそれぞれ示すように、入力部２と、記憶部３と、表示部４と、図４に示すような相互に区画された複数の印字領域たるラベルＬを同一面内に有する用紙たるラベルシートＬＳに前記表示部４が表示している文字列を印字する印字部５とを具備する。また、この印字装置１は、ラベルＬがその上部に位置する印字副領域であるＡ面Ｌａ及びその下部に位置する印字副領域であるＢ面Ｌｂの２つの印字副領域を有する前記図４に示すようなインデックスラベルである場合において、このインデックスラベルのＡ面Ｌａ及びＢ面Ｌｂにそれぞれ異なる文字列を印字する機能を有する。
【００１６】
ここで、「文字列」とは、文字だけでなく図形データをも含み得るものである。また、「印字」とは、文字だけでなく図形データをラベルシートＬＳに出力することをも含み得る概念である。
【００１７】
入力部２は、ユーザが文字列の入力操作を含む所定の入力操作を行うためのものであり、図２に示すように、ユーザが文字列の入力操作を行うための文字キー２ａと、ユーザが印字に関わる制御を行わせる命令の入力操作を行うための制御キーとを有する。
【００１８】
記憶部３は、後述する制御部６の内部メモリ６ｂと同一のものであり、入力部２に入力された文字列に対応する文字列情報を記憶する。さらに、入力部２に入力されたラベルシートＬＳの種類を示す情報であるラベルシート種類情報、ラベルシートＬＳ上に配置されたラベルＬの形状及び配置を示す情報であるラベル情報等も記憶する。
【００１９】
表示部４は、本実施形態では液晶画面を用いて構成され、記憶部３で記憶した前記文字列情報に基づいて文字列の全部若しくは一部を画面表示するとともに、前記ラベルシートＬＳに関する情報や、さまざまな制御を行う際のメニューを表示する機能をも有する。なお、本実施形態では単一の画面を用いているが、複数の画面を使用して文字列とその他の情報とをそれぞれ別の画面に表示するようにしてもよい。
【００２０】
印字部５は、従来のこの種の印字装置に用いられる印字部として周知のものと同様に構成されるものであり、詳細な説明は割愛する。
【００２１】
一方、ラベルシートＬＳは、図４に示すように、複数枚の同一形状をなすラベルＬをその一表面に縦横マトリクス状に配置している。ラベルＬは、その表面に文字列を印字された後、ラベルシートＬＳからはがして使用されるものであり、ラベルシートＬＳ上の位置は、同図における上下方向位置を上から順にＡ段、Ｂ段、（以下略）、同図における左右方向位置を左から順に１列、２列、（以下略）として指定される。
【００２２】
さらに、この印字装置１は、前記図３に示すように、ＣＰＵ６ａと、内部メモリ６ｂと、入出力インタフェース６ｃとを具備するものであり、前記入出力インタフェース６ｃを介して前記入力部２、前記表示部４、及び前記印字部５に接続され、これらの制御を行う制御部６を備えている。内部メモリ６ｂにはＣＰＵ６ａが実行すべきプログラム及び必要なデータが格納されている。そしてＣＰＵ６ａが逐次内部メモリ６ｂからプログラムやデータを呼び出し、格納されたプログラムをＣＰＵ６ａが実行することにより、前記制御部６は前記入力部２、前記記憶部３、前記表示部４、前記印字部５と協働して、図５に示すように、ラベル情報記憶手段７０１、ラベルシート選択手段７０２、格納手段７０３、表示手段７０４、副領域切替手段７０５、情報選択手段７０６、印字文字列情報受付手段７０７、印字枚数指定手段７０８、及び印字手段７０９として機能する。
【００２３】
ラベル情報記憶手段７０１は、ラベルシートＬＳ上に配置されたラベルＬの形状及び配置を示す情報であるラベル情報をラベルシートＬＳの種類を示す情報であるラベルシート種類情報に対応付けて前記記憶部３に記憶させている。このラベル情報とは、ラベルシートＬＳの縦横寸法、ラベルＬの縦横寸法、ラベルＬの縦横間隔、ラベルＬがＡ面Ｌａ・Ｂ面Ｌｂを有するインデックスラベルであるか否かを示すラベル識別子、ラベルＬの枚数、ラベルＬ内の行数、及びラベルシートＬＳ上のＡ段１列に位置するラベルＬの最初の文字の印字位置である先頭ラベル位置等からなるものである。なお、本実施形態では寸法はミリメートル（ｍｍ）単位で示されていて、先頭ラベル位置の基準点は図４におけるラベルシートの左上方隅としている。
【００２４】
ラベルシート選択手段７０２は、ユーザによる入力部２への前記ラベルシートＬＳの種類の入力を促し、入力されたラベルシートＬＳの種類に対応するラベルシート種類情報を格納手段７０３に引き渡す。さらに、このラベルシート選択手段７０２は、ユーザによる前記ラベルＬへの印字態様の選択入力をも促して、入力された前記印字態様を示す情報を格納手段７０３に引き渡す。
【００２５】
格納手段７０３は、図１０に格納手段７０３の格納態様を示すように、一のラベルＬに印字すべく入力部２に対してユーザが入力した一の文字列、又は異なるラベルＬに印字すべくラベルＬ毎に対応させてユーザが入力部２に対して入力した複数の文字列の組に基づく文字列情報を記憶部３に格納させる。ここで、「一の文字列」とは、一のラベルＬに印字する文字列であり、本実施形態においては、同一のラベルＬのＡ面Ｌａに印字する文字列とＢ面Ｌｂに印字する文字列との組み合わせを含む概念であり、同一のラベルＬのＡ面Ｌａに印字する文字列とＢ面Ｌｂに印字する文字列とが異なる場合であっても、一のラベルＬに印字する文字列である限り「一の文字列」である。一方「文字列の組」とは、異なるラベルＬにそれぞれ印字する複数の文字列の集合からなる組であり、本実施形態においては、同一のラベルＬのＡ面Ｌａに印字する文字列とＢ面Ｌｂに印字する文字列との組み合わせである「一の文字列」を複数種類集合させてなる組を含む概念である。しかして、前記一の文字列に基づく文字列情報又は文字列の組に基づく文字列情報を格納部３に格納させるとともに、文字列情報に対応する文字列が印字されるべき印字副領域を示す副領域情報を文字列情報に対応付けて、ラベル文字列情報として記憶部３に格納させている。（図１０参照、図（ａ）は一の文字列に基づく文字列情報を格納している状態、同図（ｂ）は文字列の組に基づく文字列情報を格納している状態をそれぞれ示す図である。）また、同一のラベルＬのＡ面Ｌａに印字する文字列に基づく文字列情報とＢ面Ｌｂに印字する文字列に基づく文字列情報とを対にして格納させている。前記ラベル文字列情報にはラベル番号を付していて、文字列情報をラベル番号にも対応付けるとともに、１又は複数のラベル文字列情報を、これらラベル文字列情報に対応する文字列を印字すべきラベルシートＬＳに関する前記ラベルシート種類情報及び文字列の出力態様にも対応付けた状態で記憶部３に格納させている。
【００２６】
表示手段７０４は、前記記憶部３に格納させた文字列情報のうちの一つの文字列情報に対応する文字列を、図６に示すように前記表示部４に画面表示する。以下、表示部４のうち、この表示手段７０４により文字列を表示している部分を文字列表示画面４ａと称する。なお、所定の文字（図形も含む）数を超えた場合、文字列表示画面４ａには、カーソルの位置に対応して順次入力順に所定の文字数のみが表示され、表示されていない文字列は、文字列表示画面４ａに表示されている文字列とともに、入力中である文字列（未確定文字列）として、所定の格納領域（バッファ）内に一時的に保存されることは周知の通りである。また、本実施形態では、前記図４に示すような縦書きの文字列が印字される場合には、前記図６に示すように文字列が横向きに表示されるようにしている。また、この表示手段７０４は、表示部４に画面表示させている文字列が印字される印字副領域を示唆する情報及び他の印字副領域の存在を示唆する情報を前記表示部４に文字列と同時に画面表示させる。本実施形態では、この副領域を示す情報はタブ表示により表示される。すなわち、表示部４の画面表示状態の例を示す図である図６に示すように、Ａ面Ｌａに印字する文字列を入力していることを示すタブと、Ｂ面Ｌｂに印字する文字列を入力していることを示すタブとを表示するとともに、文字列が印字される副領域を示すタブを表示部４の画面上において手前側に表示するようにしている。また、前記記憶部３に格納させた前記ラベルシート種類情報及び印字する文字列のサイズを示す情報たる文字サイズ情報を図６に示すように表示部４に画面表示させる。なお、前記図６において、（ａ）はＡ面Ｌａに印字する文字列を示す文字列情報を入力している状態における画面表示状態、（ｂ）はＢ面Ｌｂに印字する文字列を示す文字列情報を入力している状態における表示部４の画面表示状態をそれぞれ示す。
【００２７】
副領域切替手段７０５は、表示部４に前記文字列を表示している状態のまま、入力部２に備えたユーザが前記副領域切替命令の入力操作を行うためのタブ切替キー２ｘによる副領域切替命令の入力を促し、副領域切替命令の入力を受けて同一ラベルＬの他の印字副領域に印字させる文字列を表示部４の文字列表示画面４ａに表示させるとともに、その文字列が印字される印字副領域を示す情報を前記表示部４に表示させるべく前記表示手段７０４に指示を発する。
【００２８】
情報選択手段７０６は、表示手段７０４によって表示部４に画面表示させている文字列の全部若しくは一部をラベルＬに印字する表示文字列印字、又は前記記憶部３に格納させている文字列情報に対応する一の文字列若しくは文字列の組をラベルＬに印字する格納文字列印字の何れかの選択を促す情報を提示する。具体的には、表示文字列印字を示唆する情報である表示文字列印字情報、及び前記格納文字列印字を示唆する情報である格納文字列印字情報を表示部４に同時に画面表示させ、ユーザが表示文字列印字又は格納文字列印字の選択を切り替える入力操作を行うための選択切替部である矢印キー２ｚによる選択切替命令の入力を促し、矢印キー２ｚに対してユーザが操作入力することにより、前記表示文字列印字又は前記格納文字列印字の選択を切替可能にしている。前記選択切替命令とは、表示部４に画面表示させている表示文字列印字又は格納文字列印字の何れかへの選択を切り替える旨の情報である。なお、図１１に示すように、実際の画面には、表示文字列印字情報として「表示ラベル印刷」、及び格納文字列印字情報として「全ラベル印刷」が表示され、同図（ａ）は格納文字列印字が選択されている状態の画面表示、同図（ｂ）は表示文字列印字が選択されている状態の画面表示をそれぞれ示す。
【００２９】
印字文字列情報受付手段７０７は、情報選択手段７０６により表示部４を介してユーザに提示された前記表示文字列印字情報としての「表示ラベル印刷」又は前記格納文字列印字情報としての「全ラベル印刷」に対応して、矢印キー２ｚに対してユーザが選択入力した印字すべき文字列に基づく印字文字列情報を受け付ける。
【００３０】
印字枚数指定手段７０８は、印字文字列情報受付手段７０７により受け付けた印字文字列情報に対応する文字列について、入力部２に対してユーザが指定した印字枚数に基づく印字枚数情報を受け付ける。
【００３１】
印字手段７０９は、印字文字列情報受付手段７０８により受け付けた前記印字文字列情報に対応する文字列を印字枚数指定手段により受け付けた印字枚数情報に基づいて印字部５を介して前記ラベルシートＬＳの一又は複数のラベルＬに印字する。
【００３２】
このように構成したラベル印字装置１の制御の流れを以下に示す。
【００３３】
まず、電源を投入してから前記入力画面を表示するまでの流れを図７を参照して以下に示す。
【００３４】
はじめに、前記ラベルシート選択手段７０２が、使用するラベルシートＬＳのラベルシート種類情報の入力を受け付ける（ＳＴ１０１）。次いで、受け付けたラベルシート種類情報が示すラベルシートＬＳが、ラベルＬとしてインデックスラベルを有するものであるか否かを判定する（ＳＴ１０２）。前記判定の結果が「偽」であれば、ただちに表示手段７０４を介して文字列表示画面４ａに記憶部３に記憶されている番号１を付したラベル文字列情報に対応する文字列を表示する（ＳＴ１０３）。一方、前記判定の結果が「真」であれば、引き続き前記ラベルシート選択手段７０２がインデックスラベルへの印字態様を示す情報の入力部２への選択入力を促し、入力された前記印字態様を示す情報を記憶部３に記憶する（ＳＴ１０４）。そして、記憶部３に記憶させたインデックスラベルへの印字態様が、Ａ面Ｌａ及びＢ面Ｌｂに異なる内容を印字するものであるか否かを判定する（ＳＴ１０５）。この判定の結果が「真」であれば、文字列表示手段７０４を介して文字列表示画面４ａに記憶部３に記憶している番号１を付したラベル文字列情報に基づき、Ａ面Ｌａに印字する文字列を表示し（ＳＴ１０７）、さらに表示手段７０６によりタブを表示部４に表示する（ＳＴ１０８）。すなわち、Ａ面Ｌａに印字する文字列を入力していることを示すタブと、Ｂ面Ｌｂに印字する文字列を入力していることを示すタブとを表示部４に同時に画面表示するとともに、Ａ面Ｌａを示すタブを表示部４の画面上において手前側に表示するようにしている。一方、この判定の結果が「偽」であれば、ただちに表示手段７０４を介して文字列表示画面４ａに記憶部３に記憶している番号１を付したラベル文字列情報に対応する文字列を表示する（ＳＴ１０６）。
【００３５】
次に、表示手段７０４により表示部４に画面表示している文字列に対応する文字列情報を格納手段７０３に格納させる際に印字装置１が行う制御の流れを図８を参照しながら説明する。
【００３６】
まず、格納手段７０３が、入力部２に入力された文字列に対応する文字列情報を、記憶部３に格納させる（ＳＴ２０１）。なお、この際、入力部２に入力された文字列の文字数に応じて文字サイズを変更し得るが、この流れについては説明を省略する。次いで、副領域切替手段７０５が、前記タブ切替キー２ｘによる副領域切替命令の入力があったか否かを判定する（ＳＴ２０２）。この判定の結果が「偽」であるならば、そのまま後述するステップＳＴ２０６に進む。一方、この判定の結果が「真」であるならば、以下に述べる処理を行う。まず、表示手段７０２により現在文字列表示画面４ａに表示している文字列がＡ面Ｌａに印字する文字列であるか否かを判定する（ＳＴ２０３）。この判定の結果が「真」であるならば、副領域切替手段７０５は前記格納手段７０３に格納させているラベル文字列情報に基づき、表示手段７０４にＢ面Ｌｂに印字する文字列を表示するよう指示を発するとともに、Ｂ面Ｌｂを示すタブを表示部４の画面上において手前側に表示するよう指示を発する（ＳＴ２０４）。一方、この判定の結果が「偽」であるならば、副領域切替手段７０５は前記格納手段７０３に格納させている文字列情報に基づき、表示手段７０４にＡ面Ｌａに印字する文字列を表示するよう指示を発するとともに、Ａ面Ｌａを示すタブを表示部４の画面上において手前側に表示するよう指示を発する（ＳＴ２０５）。引き続き、他のラベルＬに出力する文字列を表示部４に表示することを促す次ラベル入力命令の入力が入力部２に対して行われたか否かを判定する（ＳＴ２０６）。この判定の結果が「真」であるならば、現在のＡ面Ｌａ及びＢ面Ｌｂに印字する文字列を示す文字列情報を対にして格納手段７０３に格納させ（ＳＴ２０７）、次のラベル番号を付されたラベル文字列情報のうちＡ面Ｌａに印字する文字列に対応する文字列情報に基づき、Ａ面Ｌａに出力する文字列を表示部４の文字列表示画面４ａに表示するとともに、Ａ面Ｌａを示すタブを表示部４の画面上において手前側に表示し（ＳＴ２０８）、上述した入力部２に入力された文字列に対応する文字列情報を記憶部３に格納させるステップに戻る（ＳＴ２０１）。一方、この判定の結果が「偽」であるならば、続いて入力部２の印刷キー２ｙに対してラベルＬに対する印字を促す旨の情報である印字命令の入力があったか否かを判定する（ＳＴ２０９）。この判定の結果が「真」であるならば、現在表示中のラベルＬのＡ面Ｌａ及びＢ面Ｌｂに印字する文字列を対にして文字列記憶手段７０３に記憶し（ＳＴ２１０）、印字を行う処理に進む。一方、この判定の結果が「偽」であるならば、上述した入力部２に入力された文字列に対応する文字列情報を記憶部３に格納するステップに戻る（ＳＴ２０１）。なお、ラベルＬが副領域に区画されていない、又はＡ面ＬａとＢ面Ｌｂに同一の文字列を印字する場合には、上述したステップのうち、ＳＴ２０２〜ＳＴ２０５、ＳＴ２０７、及びＳＴ２０８は実施されないが、その他は上述したものと同様の流れによりラベルＬに印字する文字列を入力部２に入力させ、この文字列に対応する文字列情報を記憶部３に格納させるようにしている。
【００３７】
次に、印字を行う処理の流れを図９を参照しながら以下に示す。
【００３８】
まず、前記表示手段７０４により前記「表示ラベル印刷」及び前記「全ラベル印刷」を同時に画面表示させる（ＳＴ３０１）。そして、情報選択手段７０６により、印刷命令の入力があった時点で表示手段７０４に画面表示させている文字列を印字する表示文字列印字、又は記憶部３に格納させているすべての文字列情報に対応する文字列を印字する格納文字列印字の前記矢印キー２ｚによる選択入力を促す（ＳＴ３０２）。なお、本実施形態においては印刷処理を行う最初の画面においては「全ラベル印刷」が選択されている状態で表示されている。次いで、前記矢印キー２ｚに対する選択切替命令の入力の有無に基づいて表示文字列印字が選択されている否かを判定し（ＳＴ３０３）、この判定の結果が「真」であるならば、印字文字列情報受付手段７０７により表示文字列印字を印字すべき情報を含む印字文字列情報を受け付ける（ＳＴ３０４）。続いて、印字文字列情報受付手段７０７により受け付けた印字文字列情報に対応する文字列、すなわち印刷命令の入力があった時点で表示手段に画面表示させている文字列を含むラベル文字列情報に対応する文字列を記憶部３から抽出し、その文字列の印字枚数及び印刷開始位置の入力部２による入力を促し（ＳＴ３０５）、入力された印刷開始位置から入力された印字枚数だけ前記文字列をラベルＬに印字する（ＳＴ３０６）。一方、前記判定が「偽」である場合には、印字文字列情報受付手段７０７により格納文字列印字を印字すべき情報を含む印字文字列情報を受け付ける（ＳＴ３０７）。続いて、印字文字列情報受付手段７０７により受け付けた印字文字列情報に対応する文字列、すなわち印刷命令の入力があった時点で表示手段４に表示している文字列を含む前記記憶部３に格納させた文字列情報に対応する文字列（一の文字列又は文字列の組）を含むラベル文字列情報に対応する文字列を記憶部３から抽出し、それら文字列の印字枚数及び印刷開始位置の入力部２による入力を促し（ＳＴ３０８）、入力された印刷開始位置から入力された印字枚数だけ一の文字列又は前記文字列の組である文字列をラベルＬに印字する（ＳＴ３０９）。
【００３９】
以上に述べたように、本発明に係る印字装置１は、表示手段１０４によって表示部４の全部若しくは一部に画面表示させている文字列を印字する表示文字列印字、又は記憶部３に格納させている前記文字列情報に対応する前記一の文字列若しくは前記文字列の組を印字する格納文字列印字の何れかの選択を促す情報を提示する情報選択手段７０６と、この情報選択手段７０６によりユーザに提示された前記表示文字列印字又は前記格納文字列印字に対応して入力部２に対してユーザが選択入力した印字すべき文字列に基づく印字文字列情報を受け付ける印字文字列情報受付手段７０７と、この印字文字列情報受付手段７０７により受け付けた前記印字文字列情報に対応する文字列を印字部５を介してラベルシートＬＳの一又は複数のラベルＬに印字する印字手段７０９とを備えているため、印字すべき文字列を選択することにより、その選択した文字列を印字領域に印字することができ、従来のように印字しない文字列の印字枚数を「０」に設定する操作を省略することができ、操作の簡略化を有効に図ることができ、使い勝手が優れたものとなる。
【００４０】
また、情報選択手段７０６が、表示文字列印字を示唆する情報である表示文字列印字情報（表示ラベル印刷）及び前記格納文字列印字を示唆する情報である格納文字列印字情報（全ラベル印刷）を前記表示部４に同時に画面表示させるものであるため、表示文字列印字又は格納文字列印字を選択する際に画面を逐一切り替える必要がなく、無駄な手間を有効に省くことができる。
【００４１】
特に、入力部２に、ユーザが表示文字列印字又は格納文字列印字の選択を切り替える入力操作を行うための矢印キー２ｚを備えているため、表示文字列印字又は格納文字列印字の選択をより簡単な操作で行うことができる。
【００４２】
なお、本発明は上述した実施形態に限られない。
【００４３】
例えば、図１２に示すように、前記格納手段７０３と、前記表示手段７０４と、表示手段７０４によって表示部４に画面表示させている文字列を印字しない表示文字列非印字、又は前記記憶部に格納させている前記文字列情報に対応する前記一の文字列若しくは前記文字列の組を前記用紙の一の印字領域若しくは複数の印字領域に印字しない格納文字列非印字の何れかの選択を促す選択情報を提示する情報選択手段１７０６と、情報選択手段１７０６によりユーザに提示された前記表示文字列非印字又は前記格納文字列非印字に対応して前記入力部に対してユーザが選択入力した印字しない文字列に基づく非印字文字列情報を受け付ける非印字文字列情報受付手段１７０７と、この非印字文字列情報受付手段１７０７により受け付けた前記非印字文字列情報に対応する文字列以外の文字列を印字部５を介してラベルシートＬＳの一又は複数のラベルＬに印字する印字手段１７０９とを備えている印字装置であっても構わない。このようなものであっても、印字しない文字列を選択することにより、その選択した文字列以外の文字列を印字領域に印字することができ、上記実施形態と同様に、従来のものと比較して、印字しない文字列の印字枚数を「０」に設定する操作を省略することができ、操作の簡略化を有効に図ることができる。なお、このような印字装置は、前記実施形態における印字枚数指定手段７０８は、非印字文字列情報受付手段１７０７により受け付けた非印字文字列情報に対応する文字列以外の文列について、入力部２に対してユーザが指定した印字枚数に基づく印字枚数情報を受け付ける印字枚数指定手段１７０８としての役割を果たす。
【００４４】
また、予め印字装置本体の一部であり、前記表示部とはことなる位置に表示文字列印字を示唆する情報及び格納文字列印字を示唆する情報を表示しておき、適宜の操作によって何れかを選択できるように構成してもよい。あるいは、入力部２の操作キーとして「表示ラベル印刷」及び「全ラベル印刷」を設けておき、何れかの操作キーに対す操作入力により表示文字列印字又は格納文字列印字の選択を行えるようにしてもよい。なお、「表示ラベル印刷」及び「全ラベル印刷」は例示であり、表示文字列印字又は格納文字列印字を示唆する文字又は図形をキーに表記したものであっても勿論構わない。
【００４５】
その他、本発明の趣旨を損ねない範囲において種々に変形してよい。
【００４６】
【発明の効果】
本発明に係る印字装置は、印字すべき文字列を選択することにより、その選択した文字列を印字領域に印字することができるため、従来のように印字しない文字列の印字枚数を「０」に設定する操作を省略することができ、操作の簡略化を有効に図ることができ、極めて使い勝手が優れたものとなる。
【図面の簡単な説明】
【図１】本発明の一実施形態に係る印字装置の全体斜視図。
【図２】同実施形態に係る印字装置の平面図。
【図３】同実施形態に係る印字装置の機器構成図。
【図４】同実施形態に係る印字装置により印字されるラベルシートを示す図。
【図５】同実施形態に係る印字装置の機能ブロック図。
【図６】同実施形態に係る印字装置の表示部への出力の例を示す図。
【図７】同実施形態に係る印字装置が行う処理の流れを示すフローチャート。
【図８】同実施形態に係る印字装置が行う処理の流れを示すフローチャート。
【図９】同実施形態に係る印字装置が行う処理の流れを示すフローチャート。
【図１０】同実施形態に係る印字装置の文字列記憶手段の記憶態様を示す図。
【図１１】同実施形態に係る印字装置の表示部への出力の例を示す図。
【図１２】本発明に係る印字装置の一変形例の図５に対応した図。
【符号の説明】
１…印字装置
２…入力部
３…記憶部
４…表示部
５…印字部
２ｚ…選択切替部（矢印キー）
【図１】
2004268468.tif 000003
【図２】
2004268468.tif 000004
【図３】
2004268468.tif 000005
【図４】
2004268468.tif 000006
【図５】
2004268468.tif 000007
【図６】
2004268468.tif 000008
【図７】
2004268468.tif 000009
【図８】
2004268468.tif 000010
【図９】
2004268468.tif 000011
【図１０】
2004268468.tif 000012
【図１１】
2004268468.tif 000013
【図１２】
2004268468.tif 000014